(57)【要約】  少なくとも２つの断熱グレージング２を含む、壁または仕切りとして使用されるガラス壁１であって、それぞれのグレージング２が、気体を含有するエアギャップにより隔てられ、面の１つ３０によりガラス板の端面に固定されている少なくとも１つの実質的に平坦なインサート３により組み立てられている、少なくとも２つのガラス板２０、２１を含むこと、およびグレージング２が、グレージングのそれぞれに面して装着されたインサート３と協働する固定手段４によって、互いに固定されることを特徴とする、壁。
2009520895.tif 000002
【特許請求の範囲】
【請求項１】
少なくとも２つの断熱グレージングユニット（２）を含む、壁または仕切り壁として使用されるガラス壁（１）であって、それぞれのグレージングユニット（２）が、エアギャップにより隔てられ、面の１つ（３０）によりガラス板の端面に固定されている少なくとも１つの実質的に平坦なインサート（３）により組み立てられている、少なくとも２つのガラス板（２０、２１）を含むこと、およびグレージングユニット（２）が、グレージングユニットのそれぞれに面して設置されたインサート（３）と協働する固定手段（４）によって、互いに固定されていることを特徴とする、壁。
【請求項２】
固定手段（４）が接着継手からなることを特徴とする、請求項１に記載の壁。
【請求項３】
接着継手が、２．５ｍｍから５ｍｍの厚さであることを特徴とする、請求項２に記載の壁。
【請求項４】
隠蔽手段（５）が、壁の外側に面している固定手段（４）に連結されることを特徴とする、請求項２または３に記載の壁。
【請求項５】
固定手段（４）が、インサート（３）に接着することにより固定された結合片からなることを特徴とする、請求項１に記載の壁。
【請求項６】
インサート（３）が、グレージングユニットの幅の端から端まで延び、前記ガラス板の外面に重なることなしにグレージングユニットの外側に対して最も離れたガラス板の端面の外縁と境界を接する幅を有することを特徴とする、請求項１に記載の壁。
【請求項７】
インサート（３）が、少なくとも４００Ｎ／ｍの線形剛性を有することを特徴とする、請求項１から６のいずれか一項に記載の壁。
【請求項８】
インサート（３）が、外側に面しているその外面上に、金属型の気密および液密の密封被覆を有することを特徴とする、請求項１から７のいずれか一項に記載の壁。
【請求項９】
少なくとも１つのグレージングユニットが、スラットを有するブラインド型の付属品をエアギャップの内部に組み込んでいることを特徴とする、請求項１から８のいずれか一項に記載の壁。
【請求項１０】
グレージングユニットが、表面被覆またはプラスチックフィルム型の機能性要素を含むことを特徴とする、請求項１から９のいずれか一項に記載の壁。
【請求項１１】
固定されているかまたは滑動することを特徴とする、請求項１から１０のいずれか一項に記載の壁。
【請求項１２】
建築物内部の室内仕切り壁または建築物の外壁を形成するために、請求項１から１１のいずれか一項に記載の少なくとも１つの壁を含む建築物内の部屋。
【発明の詳細な説明】
【技術分野】
【０００１】
本発明は、建築物において、内部の仕切り壁としておよび建築物の外部の壁としての両方で使用されるガラス壁に関する。
【背景技術】
【０００２】
今日では、建築物の壁（内部の壁および建築物の外側に結合されている壁の両方とも）は、全体がガラスでできている場合は、一体物のガラスグレージングユニットとして通常作製され、ガラスはストラクチュラルシーラントグレージングのように接着によりつなぎ合わされるかまたはストラクチュラルグレージングのように別のシステムにより組み立てられる。今では、このような壁は、断熱および遮音の面で極めて平凡な性能を提供するに過ぎない。
【０００３】
したがって、特に内部の事務室を分割するために、または外部に結合されているベランダにおいて、建築物において仕切り壁用に多数の断熱グレージングユニットを使用することは、音響および／または熱的性能を達成しなければならない場合、不可欠である。これらのグレージングユニットは、部屋の全高さに及ぶかまたは別法として仕切り壁の上部に組み込まれており、壁の下部は、ガラス以外の固体材料でできている。
【０００４】
従来の断熱グレージングユニットは、グレージングユニットの端から約１５ｍｍの幅にわたって、ガラス板の間に配置されるインサートを有する。
【０００５】
ガラスのはめられた壁を形成するために、２つのグレージングユニットが、取り付けおよび固定ストリップにより共に突き合わされている場合、一方ではグレージングユニットを支え、他方ではインサートを隠すことができるだけのストリップの幅を与えることが必要である。したがって、約４５ｍｍの全幅が、壁を形成する２つのグレージングユニットの間の結合部において、可視性の点から見ると失われる。
【０００６】
特に省エネルギーおよび快適さの理由から、人工照明の量を制限するために、できるだけ自然照明のある内部の部屋を持つ建築物を建築するかまたはこうした建築物に改造することが、ますます望ましくなりつつある。窓はないが、自然光により照らされている廊下へ通じる部屋は、光を通すいくつかのグレージングユニットが仕切り壁の中に組み込まれている場合は、無垢の仕切りにより仕切られた場合より、快適なはずである。同様に、外へ直接通じる居室を志向する現在の建築傾向は、直接照明に有利である。
【０００７】
しかし、以上で説明されたように、現在の仕切り壁は、完全に満足できるものではない。
【発明の開示】
【発明が解決しようとする課題】
【０００８】
本発明は、建築物の部屋への自然光の進入をさらに最適化し、最大の可視性を得ながら、同時に、建築物の仕切り壁、または内壁もしくは外壁を形成する要素の剛性、堅固さ、密封の特性を提供し、かつ熱的および音響的特性を維持することを探求してきた。
【課題を解決するための手段】
【０００９】
本発明は、少なくとも２つの断熱グレージングユニットを含む、壁または仕切り壁として使用されるガラス壁を特徴とし、このガラス壁は、それぞれのグレージングユニットが、エアギャップにより隔てられ、面の１つによりガラス板の端面に固定されている少なくとも１つの実質的に平坦なインサートにより組み立てられている、少なくとも２つのガラス板を含むこと、およびグレージングユニットが、グレージングユニットのそれぞれに面して設置されたインサートと協働する固定手段によって、互いに固定されていることを特徴とする。
【００１０】
本発明によれば、ガラス壁は、互いに組み合わされたグレージングユニットの集合を意味するものと理解されるべきであり、これらのグレージングユニットは、主としてガラスからなるが、場合によってはプラスチックなどの他の材料を含むかまたはプラスチックなどの他の材料により被覆されている。本発明による壁を構成する断熱グレージングユニットに関する実施形態の詳細については、国際公開第０１／７９６４４号パンフレットおよび国際公開第０３／０４０５０７号パンフレットを、特に参照することができる。
【００１１】
このようなインサートにより作製されたこれらの新世代のグレージングユニットは、後でわかるように、インサートがグレージングユニット内に配置されている従来のグレージングユニットにおいて達成されるより、グレージングユニットの表面に垂直な圧縮応力に対して遙かに大きな抵抗力を有することが、現実に判明した。
【００１２】
さらに、この種のインサートは、グレージングユニットが取り付けられたとき、すなわち、グレージングユニットがその端で支えられているとき、一枚のガラス板が別のガラス板に対してスリップする危険を伴うことなしに、グレージングユニットに、一体物のグレージングによく似た単一のモノブロック性を付与する。
【００１３】
したがって、これらのグレージングユニットを組み合わせることにより、建築物において使用される現在の仕切り壁によってもたらされる、すべての機械的強度および剛性特性を付与し、同時に、表面積の全体にわたって光に対する連続した透明性を有するという利点を維持するガラス壁が形成される。
【００１４】
一特徴によれば、固定手段は、接着継手からなる。この継手は、好ましくは２．５ｍｍから５ｍｍの厚さである。
【００１５】
有利には、隠蔽手段は、壁の外側に面している固定手段と連結される。
【００１６】
一変形形態によれば、固定手段は、インサートに接着することにより固定された結合片からなる。
【００１７】
グレージングユニットに関連する特徴によれば、インサートは、グレージングユニットの幅の端から端まで延び、前記ガラス板の外面に重なることなしにグレージングユニットの外側に対して最も離れたガラス板の端面の外縁と境界を接する幅を有する。
【００１８】
別の特徴によれば、インサートは、少なくとも４００Ｎ／ｍの線形剛性を有する。有利には、インサートは、外側に面しているその外面上に、金属型の気密および液密の密封被覆を有する。
【００１９】
有益には、特に事務室空間に関して、少なくとも１つのグレージングユニットが、スラットを有するブラインド型の付属品を、エアギャップの内部に組み込んでいる。
【００２０】
好ましくは、これらのグレージングユニットは、表面被覆およびプラスチックフィルムなどの、１つまたは複数のガラス板に連結した機能性要素を含む。
【００２１】
最後に、このような壁は、特に建築物の部屋の内部仕切り壁、または建築物の外壁を形成するのに使用されることになる。この壁は、固定されても、または滑動してもよい。
【００２２】
次に本発明の他の特徴および利点は、図面を参照して説明される。
【００２３】
図面の理解を容易にするために、図は縮尺通りには描かれていない。
【発明を実施するための最良の形態】
【００２４】
図１は、床１０と天井１１との間の、建築物の部屋の内部仕切りを構成するガラス壁１を示す。この壁は、いくつかの断熱グレージングユニット２を含む。グレージングユニットは、横方向に共に突き合わされ、その高さは実質的に部屋の高さに相当する。ドア１２は、部屋に入るために壁に連結されている。
【００２５】
それぞれのグレージングユニット２は、図２において見ることができるように、ガラス板の外側に配置されている少なくとも１つの平坦なインサート３を利用して、少なくとも１つのエアギャップ２２により隔てられている、少なくとも２つのガラス板２０および２１により構成される。インサートは、その面の１つ３０により、グレージングユニットの幅の端から端まで延びるガラス板の端面に固定され、前記ガラス板の外面に重なることなしにグレージングユニットの外側に対して最も離れたガラス板の端面の外縁と境界を接する。
【００２６】
このインサートは、少なくとも１つまたは複数の、共に突き合わされた平坦なストリップからなり、少なくとも４００Ｎ／ｍの座屈に対する線形抵抗（ｌｉｎｅａｒ  ｒｅｓｉｓｔａｎｃｅ）を有する。平坦なストリップは、好ましくは１から２ｍｍを超えない厚さを有する。実施形態の詳細は、特に、国際公開第０３／０４０５０７号パンフレットに与えられている。平坦なストリップの例示的な実施形態は、０．４０ｍｍ厚さのアルミニウムテープである。
【００２７】
このインサートは、グレージングユニットの周辺の少なくとも７５％を巡り、ガラス板に機械的完全性を与え、外部応力に対するグレージングユニットの挙動が、一体物のガラスの挙動に対応するように、十分な剛性をもたらす。
【００２８】
グレージングユニットの周辺の残部は、同じ平坦な型のインサートを含むか、またはガラス板の間に通常配置される、知られているインサートの他のどんな型とも連結されてよく、密封は、グレージングユニットの周囲の殆どを巡る平坦なインサートと、別のインサートとが接触する場所で十分に実現される。
【００２９】
特に、グレージングユニットの上部２４におけるインサートは、エアギャップに面した、グレージングユニットの内側を向いた付属品、例えばスラットを有するブラインドを備えた従来のまたは平坦なインサートからなりうる。
【００３０】
したがって、端面上に平坦なインサートを有するグレージングユニットのこの型は、機械的に非常に強い。例えば１２ｍｍのエアギャップを有する従来のグレージングユニットを、同じ１２ｍｍ厚のエアギャップを持つ、端面上にインサートを有するグレージングユニットと比較すると、グレージングユニットに直角に同一の力が加えられた場合は、端面上にインサートを有するグレージングユニットの撓みは、従来のグレージングユニットの撓みより、２５％小さかったことが実証されている。
【００３１】
最後に、グレージングユニットは、例えば、ガラス板に関連した消音特性を有する表面被覆またはプラスチックフィルムなどの、太陽光線制御または消音特性を壁に付与する機能性要素を含むことができる。ガラス板もまた、エナメルで作製されたまたはサンドブラストにより得られた、プリント装飾を施されうる。このガラスは、強化されること、難燃性を有すること等ができる。
【００３２】
壁は、互いに向かい合って置かれた平坦なインサート３において少なくとも２つのグレージングユニット２（図３ａから３ｃ）を組み合わせることによって作られる。インサート３は、固定手段４を使用して、インサートの面３１（グレージングユニットの外側にある面）により、互いに組み立てられる。
【００３３】
固定手段４（図３ａおよび３ｂ）は、例えば、接着剤が両面に塗布された多孔性発泡体型の接着継手である。
【００３４】
継手は、壁にいかなる追加の剛性も付与することなく、グレージングユニットを固定する。継手は、約３から４ｍｍの厚さであり、継手も消音手段を形成する。
【００３５】
さらには、この厚さは、グレージングユニットの取外しをより容易にし、したがって、隣接するグレージングユニットを損傷することなく、隣接するグレージングユニットからこのグレージングユニットを取り外すために必要とされる。
【００３６】
継手４は、好ましくはインサート３の厚さのすべてにわたってではなく、この厚さの相当な部分の上に置かれる。これは、隠蔽手段５が、美的理由からこの継手を隠すために、継手のそれぞれの側に配置され、壁の外側に面しているからである。
【００３７】
これらの隠蔽手段は、例えば、シリコーンガスケット（図３ａ）または付属の細長いストリップ（図３ｂ）からなる。
【００３８】
図３ｃは、グレージングユニットの厚さに適合する幅の、結合片４０、例えばアルミニウムチューブなどの固定手段４を例示する。この結合片４０は、消音をもたらすために、有利には多孔性型である結合剤４１を用いて、グレージングユニットのインサート３に結合される。
【００３９】
それぞれのグレージングユニット２は、一方で床１０に他方で天井１１に、それぞれ基礎支持体６および保持部品７を用いて固定される。
【００４０】
図４ａから４ｃにおいて例示されているように、基礎支持体６および保持部品７は、それぞれウェブ６０およびウェブ７０を有し、これらは、それぞれ床１０および天井１１に、それぞれ、スクリュー、リベットなどのタイプの、適切な任意の手段１００または１１０により固定される。
【００４１】
支持体６は、さまざまな形状をとることができ、適位置に固定されているグレージングユニットの下部２３を支持体で支えることができ、支持体は、グレージングユニットが、確実に水平に置かれる必要がある場合は、床の平坦さを均一にする。
【００４２】
図４ａは、互いに向き合い、ウェブ６０のそれぞれの端に１つずつ配置されている２つのフランジ６１０および６１１を含む、Ｕ字形の基礎支持体６を示す。フランジは、Ｕ字部品の一体化した部分を形成してもよく、またはクリップで留められてもよい。
【００４３】
グレージングユニットの下側部２３の全体に沿ったインサート３は、Ｕ字形支持体の内側の底部６１２の上に載っており、フランジ６１０および６１１は、グレージングユニットの下部がＵ字の中に閉じ込められて保持されるように、それぞれガラス板２０および２１の外面に接して保持される。
【００４４】
多孔性発泡体型の中間の消音手段８は有利には、グレージングユニットとＵ字の底部６１２およびフランジ６１０、６１１との間でＵ字の中に配置される。
【００４５】
美的理由から、ストリップ９は、Ｕ字のフランジの縁に取り付けられ、発泡体８を隠す。
【００４６】
さらに、床が完全には水平でない場合グレージングユニットを水平にするために、シム（図示せず）が、消音手段８が挿入される前に、支持体の底部６１２に配置される。
【００４７】
図４ｂは、持ち上げられていることを除いて図４ａのものと実質的に類似の基礎支持体６を示す。その支持体は、好ましくは中空の平行六面体であり、そのウェブ６０と上部６２０とは平行であり、それでグレージングユニットの下部２３が載っているウェブに面している。
【００４８】
側面フランジ６２１および６２２は、上部６２０のそれぞれの端に配置されており、ウェブ６０からそれてＵ字形の支持体を形成し、フランジは、それぞれグレージングユニットのガラス板２０および２１の外面を抱え込む。
【００４９】
消音手段８は、グレージングユニットと部分６２０およびフランジ６２１、６２２との間で、Ｕ字の中に提供される。さらに、仕上げストリップ９も、フランジ６２１および６２２と手段８の端に配置される。
【００５０】
本変形例の基礎支持体により、グレージングユニットをプリンス（ｐｌｉｎｔｈ）の高さに等しい高さまで持ち上げることができるようになり、グレージングユニットに、例えば真空掃除機などの床掃除機がぶつけられるのを防ぐ。
【００５１】
中空平行六面体部分６２３は、例えばアルミニウムチューブでできており、この窪みは、例えば、場合によっては電線を収納し、この空間を経由して配線される。
【００５２】
図４ａおよび４ｂの両方の変形例における保持部品７は、それぞれ同一である。この保持部品は、ウェブ７０と２つの側面末端フランジ７１０および７１１を含む、Ｕ字形の断面を有する。
【００５３】
ウェブ７０は、手段１１０により天井１１に固定され、フランジ７１０および７１１は、床の方を向いている。
【００５４】
吸音性で実質的に圧縮できる材料７１が、Ｕ字の底部に置かれている。
【００５５】
グレージングユニットの上部２４は、ガラス板の端面において、保持部品７の中に押し込められ、吸収材７１に押しつけられて圧縮されることが意図されており、Ｕ字のフランジは、ガラス板を抱き込んでいる。中間の消音手段８は有利には、端でガラス板とフランジ７１０および７１１との間に配置される。保持部品を中から隠している仕上げストリップ９も、フランジ７１０および７１１の縁部に配置されうる。
【００５６】
上記の２つの変形形態において、グレージングユニットの下部２３および上部２４におけるガラス板の外面は、それぞれ支持体６の側面フランジ６１０、６２０および６１１、６２１ならびに保持部品７の側面フランジ７１０および７１１により覆われており、これにより、グレージングユニットの、したがって壁の、全高さにわたって、滑らかな外観がもたらされない。
【００５７】
図４ｃは、基礎支持体６および保持部品７の別の実施形態を提案するものであり、この実施形態は、壁を取り付けるのに使用されるこれらのシステムの表面が、グレージングユニットの外面に対して突出していないようになっており、その結果、壁は床から天井まで滑らかに見える。
【００５８】
したがって、基礎支持体６は、グレージングユニットの幅に等しいかまたは実質的にこの幅未満の幅である。この基礎支持体は、互いに協働する、それぞれ、Ｕ字形断面６３０および６４０を有する２つの一定の形を与えられた部品を含み、これらのＵ字は互いに向き合っている。
【００５９】
第１の部品６３０は、床１０に固定されるように意図されているウェブ６０と、２つの側面フランジ６３１および６３２とをそれぞれ有する。この部品は、シム６５０がＵ字の断面の内側に挿入されることを可能にすることによって、床の平坦さおよび均等性の欠如を補償することができる。中間の消音手段８は有利には、ウェブ６０の底部において、フランジ６３１および６３２の壁に接して設けられる。
【００６０】
第２の部品６４０は、シム６５０を覆い、壁を支持するのに役立つ。この部品は、溝６４４と２つの側面フランジ６４２および６４３をそれぞれ装備したウェブ６４１を有する。
【００６１】
２つの部品は、Ｕ断面が互いに向き合うように、１つの面に別の面がはめ込まれた、入れ子にされており、第２の部品の溝の底部６４５は、第１の部品のシム６５０の上に載っており、第２の部品のフランジ６４２および６４３は、一旦取り付けられたグレージングユニットのガラス板に対して、突出せずに第１の部品のフランジ６３１および６３２の上に、それぞれ着座する。
【００６２】
溝６４４は、基礎支持体６にもたれかかるように意図されている、グレージングユニットの下部２３のインサート３の外面に接して取り付けられた、突出部品６６０を収容するハウジングを構成し、この部品６６０は、溝の形状を補完する形状をしており、溝にきっちりと入れ子にされうる。
【００６３】
一方ウェブ６４１の外面は、グレージングユニットの下部のインサート３の残りの部分を支える表面を構成する。
【００６４】
保持部品７は、壁を建設するのに必要な部品の数を簡素化するという理由で、基礎支持体６に類似している。保持部品７は、また、グレージングユニットの幅に等しいかまたは実質的にこの幅未満の幅を有する。この保持部品は、互いに協働する２つのＵ字断面部品７３０および７４０を含み、２つのＵ字は互いに向き合っている。
【００６５】
第１の部品７３０は、グレージングユニットの上部２４のインサート３に接着することにより固定されるように意図されたウェブ７３１を有し、第２の部品のウェブ７０は、ウェブ７０において形成される溝７４３の底部７４４と協働する手段１１０により、天井１１に固定されるように意図されている。第２の部品のフランジ７４１および７４２は、第１の部品のフランジ７３２および７３３をそれぞれ覆う。
【００６６】
２つのＵ断面の内側は、吸音性の著しく圧縮できる材料７１が充填されている。
【００６７】
次に壁の建設を、図５を参照し、図４ｃの実施形態の固定システムを使用して説明することにする。
【００６８】
基礎支持体６の断面部分および保持部品７の長さは、建築物の室内に建設されることになっている壁の長さに適合するように調整される。
【００６９】
支持体６のウェブは、床１０に固定され、それと向き合って、保持部品７のウェブ７０が天井１１に固定される。
【００７０】
シム６５０は、適切な高さまで、基礎支持体６の第１のＵ部品６３０内に配置されるが、壁が一旦建設された後で水平になるように、床面に存在している可能性のあるあらゆる遊びを修正するために、床に固定された第１の部品の側面フランジ６３１および６３２の高さを超えることはない。
【００７１】
基礎支持体６の第２の部品６４０は、第１の部品６３０の上に配置され、入れ子にされている。
【００７２】
グレージングユニットに関して、突出部品６６０が、下部２３になるように意図されているグレージングユニットの側面上のインサート３の中央部分に接して固定される。
【００７３】
保持部品７の第１のＵ字部品７３０は、上部２４になるように意図されているグレージングユニットの側のインサート３の中央部分に接して固定される。
【００７４】
次いで、グレージングユニットは、グレージングユニットの上部２４に結合されている部品７３０を、天井の第２のＵ部品７４０に挿入することによって、ある角度で係合されうる。グレージングユニットを傾けながら（矢印１）、天井方向に持ち上げ（矢印２）、次いで、グレージングユニットを垂直におよび床方向に滑らせることにより（矢印３）、突出部品６６０は、次いで溝６４４に嵌合する。
【００７５】
このグレージングユニットが、部屋の壁に結合される、壁の端の中の１つのグレージングユニットを構成する場合は、構造体の壁に接触しなければならない側面部のインサート３には、固定手段４が予め備えられていることになる。
【００７６】
したがって、適切な場所にあり、側面の１つに沿って構造体の壁に固定されたグレージングユニットは、グレージングユニットの自由側面部の、反対側のインサート３上で、接着剤４により覆われる。
【００７７】
第２のグレージングユニット２は、第１のグレージングユニットと同じ方法で定位置に設置され、横方向に圧力を掛けて、第２のグレージングユニットを第１のグレージングユニットに固定する。
【００７８】
仕切りが建設され終わると、例えば、自由端で、ドア１２がグレージングユニットと連結されうる。例えば、１つが床と１つが天井と協働する２つの回転軸に取り付けられうるドアのさまざまな固定手段が、予想されうることになり、ドアが閉じたときドアの端を密封するために、追加のストリップが、グレージングユニットのインサートに接触して固定されうる。
【００７９】
こうして、この壁は、外側に特に適切な密封を与えることによって、いずれの建築物においても、建設されうるのであり、例えば、図４ａおよび４ｂを参照すると、ストリップ９は、適切な材料から作製されることになる。
【００８０】
この壁は、例示的な実施形態において記載されているように、内部でも使用されうる。この壁は固定されうるが、一様に滑動することができる。図４ｃに例示されている壁の構成は、とりわけ、使用されうるものであり、突出部品６６０は、床に固定された断面部品の溝の中で滑動することにより、協働する。
【図面の簡単な説明】
【００８１】
【図１】建築物の部屋に組み込まれた本発明の壁を例示する概略図である。
【図２】壁のグレージングユニットの部分図である。
【図３ａ】壁を構成する２つのグレージングユニットを固定する方法の、１つの変形例に関する、図１のＡ−Ａ’断面線の図である。
【図３ｂ】壁を構成する２つのグレージングユニットを固定する方法の、１つの変形例に関する、図１のＡ−Ａ’断面線の図である。
【図３ｃ】壁を構成する２つのグレージングユニットを固定する方法の、１つの変形例に関する、図１のＡ−Ａ’断面線の図である。
【図４ａ】壁を建築物の部屋に固定する方法の、１つの変形例に関する、図１のＢ−Ｂ’断面線の図である。
【図４ｂ】壁を建築物の部屋に固定する方法の、１つの変形例に関する、図１のＢ−Ｂ’断面線の図である。
【図４ｃ】壁を建築物の部屋に固定する方法の、１つの変形例に関する、図１のＢ−Ｂ’断面線の図である。
【図５】壁の取付けを模式的に例示する断面図である。
【図１】
2009520895.tif 000003
【図２】
2009520895.tif 000004
【図３ａ】
2009520895.tif 000005
【図３ｂ】
2009520895.tif 000006
【図３ｃ】
2009520895.tif 000007
【図４ａ】
2009520895.tif 000008
【図４ｂ】
2009520895.tif 000009
【図４ｃ】
2009520895.tif 000010
【図５】
2009520895.tif 000011
【国際調査報告】
2009520895.tif 000012
2009520895.tif 000013
2009520895.tif 000014
2009520895.tif 000015